(57)【特許請求の範囲】
【請求項１】
コンテンツデータが記憶された記憶デバイスを特定するアドレス情報と当該コンテンツデータの個々に割り付けられた識別情報とを含むリンク情報を含む読影レポートデータに基づく読影を支援する読影支援装置において、
前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を取得する手段と、
取得された前記コンテンツデータを第２の記憶デバイスに書き込む書込手段と、
取得された前記読影レポートデータに含まれる前記リンク情報のうちの前記アドレス情報を前記第１の記憶デバイスを特定する情報から前記第２の記憶デバイスを特定する情報に書き換える書換手段とを具備したことを特徴とする読影支援装置。
【請求項２】
前記書込手段は、前記コンテンツデータを書き込んだ前記第２の記憶デバイスを特定する情報と当該コンテンツデータに割り付けられた前記識別情報との対応を表す対応情報を作成し、
前記書換手段は、前記対応情報に基づいて前記アドレス情報を書き換えることを特徴とする請求項１に記載の読影支援装置。
【請求項３】
前記書換手段によって書き換えられた後の前記リンク情報に基づいてコンテンツデータを提示する手段をさらに備えることを特徴とする請求項１または請求項２に記載の読影支援装置。
【請求項４】
コンテンツデータが記憶された記憶デバイスを特定するアドレス情報と当該コンテンツデータの個々に割り付けられた識別情報とを含むリンク情報を含む読影レポートデータに基づく読影を支援する第１および第２の読影支援装置を含んだ読影支援システムにおいて、
前記第１の読影支援装置は、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を出力する出力手段を備え、
前記第２の読影支援装置は、
前記データ群を取得する手段と、
取得された前記コンテンツデータを第２の記憶デバイスに書き込む書込手段と、
取得された前記読影レポートデータに含まれる前記リンク情報のうちの前記アドレス情報を前記第１の記憶デバイスを特定する情報から前記第２の記憶デバイスを特定する情報に書き換える書換手段とを具備することを特徴とする読影支援システム。
【請求項５】
前記第１の読影支援装置は、
出力するべきコンテンツデータの制限量の指定を入力する入力手段をさらに備え、
前記出力手段は、前記読影レポートデータに含まれる前記リンク情報により特定される前記コンテンツデータを前記制限量の範囲で前記データ群に含めることを特徴とする請求項４に記載の読影支援システム。
【請求項６】
前記入力手段は、リンク階層の数として前記制限量を入力することを特徴とする請求項５に記載の読影支援システム。
【請求項７】
前記出力手段は、可搬型の記録メディアに書き込むことにより前記データ群を出力し、
前記取得手段は、前記記録メディアから読み込むことにより前記データ群を取得することを特徴とする請求項４に記載の読影支援システム。
【請求項８】
前記出力手段は、通信回線へ送出することにより前記データ群を出力し、
前記取得手段は、前記通信回線を介して受信することにより前記データ群を取得することを特徴とする請求項４に記載の読影支援システム。
【請求項９】
コンテンツデータが記憶された記憶デバイスを特定するアドレス情報と当該コンテンツデータの個々に割り付けられた識別情報とを含むリンク情報を含む読影レポートデータを第１の読影支援装置から第２の読影支援装置へと授受する読影レポートデータ授受方法において、
前記第１の読影支援装置は、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を出力し、
前記第２の読影支援装置は、
前記データ群を取得し、
取得された前記コンテンツデータを第２の記憶デバイスに書き込み、
取得された前記レポートデータに含まれる前記リンク情報のうちの前記アドレス情報を前記第１の記憶デバイスを特定する情報から前記第２の記憶デバイスを特定する情報に書き換えることを特徴とする読影レポートデータ授受方法。
【請求項１０】
コンピュータを、コンテンツデータが記憶された記憶デバイスを特定するアドレス情報と当該コンテンツデータの個々に割り付けられた識別情報とを含むリンク情報を含む読影レポートデータに基づく読影を支援する読影支援装置として機能させる読影支援プログラムにおいて、
前記コンピュータを、
前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を取得する手段と、
取得された前記コンテンツデータを第２の記憶デバイスに書き込む書込手段と、
取得された前記レポートデータに含まれる前記リンク情報のうちの前記アドレス情報を前記第１の記憶デバイスを特定する情報から前記第２の記憶デバイスを特定する情報に書き換える書換手段として機能させることを特徴とする読影支援プログラム。
【請求項１１】
前記書込手段は、前記コンテンツデータを書き込んだ前記第２の記憶デバイスを特定する情報と当該コンテンツデータに割り付けられた前記識別情報との対応を表す対応情報を作成し、
前記書換手段は、前記対応情報に基づいて前記アドレス情報を書き換えることを特徴とする請求項１０に記載の読影支援プログラム。
【請求項１２】
前記コンピュータを、前記書換手段によって書き換えられた後の前記リンク情報に基づいてコンテンツデータを提示する手段としてさらに機能させることを特徴とする請求項１０または請求項１１に記載の読影支援プログラム。
【発明の詳細な説明】
【技術分野】
【０００１】
本発明は、電子化された読影レポートの取り扱いを容易とすることによって読影を支援する読影支援装置、読影支援システム、読影レポートデータ授受方法および読影支援プログラムに関する。
【背景技術】
【０００２】
医療機関においては、Ｘ線診断装置やＸ線ＣＴ装置などのモダリティで得られた医用画像を放射線医が読影し、読影レポートを作成する。
【０００３】
このような作業をサポートするための技術を、本出願人は特願２００４−１１３５３３にて提案している。この特願２００４−１１３５３３では、画像などをレポートの所見の文字列と関連付けて表したハイパーリンクレポートの作成、参照機能を提案する。
【０００４】
具体的なハイパーリンクレポート作成のステップを以下に示す。
【０００５】
まずモダリティで作成された画像は、画像サーバに保存される。画像は、画像ビューアに送信されて表示される。また、読影対象の画像に限らず、過去の読影レポートも読影レポートサーバから読み出されて表示される。画像サーバあるいは読影レポートサーバに保存されている履歴情報など、患者や検査の関連情報が表示されることもある。次に読影レポートクライアントアプリケーションによって、レポート作成画面が表示される。
【０００６】
読影レポートアプリケーションには所見欄が設けられており、医師あるいはオペレータがこの所見欄に読影画像に対する所見を記入するように操作することで、所見欄に入力された文字列が配列される。このように配列された文字列のうちでリンク付けしようとする文字列にカーソルを合わせてリンク対応範囲が特定されるとともに、表示されている画像、過去の医用レポート、履歴情報等のコンテンツの中でリンクさせようとするコンテンツが上記のリンク対象範囲へドラッグ・ドロップされると、上記のリンク対象範囲に上記のコンテンツがリンクされる。読影レポートを表す読影レポートデータでは、リンク対象範囲の文字列に対して、リンクされたコンテンツに関するハイパーリンク情報が貼り付けられる。ハイパーリンク情報は、当該コンテンツが保存されているサーバなどを特定するアドレス情報と、当該コンテンツに割り付けられたユニークなコンテンツ識別情報とを含む。ハイパーリンク情報には、コンテンツが画像の場合には、表示するときのパラメータが含まれることもある。
【０００７】
このように作成されたハイパーリンクレポートでは、ハイパーリンクが設定されたリンク対応範囲の文字列は、色を変更するとともに下線を付して識別表示される。そして、リンク対応範囲の文字列がクリックされたことに応じて、貼り付けられたハイパーリンク情報に基づいて画像サーバなどからリンクされたコンテンツが取得されて表示される。従って、読影レポートの内容が、簡単な操作で、正確にかつ分かり易く提示できる。
【発明の開示】
【発明が解決しようとする課題】
【０００８】
第１の病院で診察を受けた患者が、同じ病気に関する診察や処置を第１の病院からの紹介の下に第２の病院で受ける場合がある。このとき、第２の病院では第１の病院で作成された読影レポートを第２の病院にて参照する場合がある。第２の病院から第１の病院のサーバなどにアクセスすることができる環境が整っていないとすると、読影レポートを第２の病院にて直接的に参照することはできない。
【０００９】
読影レポートデータやコンテンツデータを可搬媒体などにコピーし、第２の病院の画像ビューアや読影レポートクライアントなどで読み込むことによって、個々のデータの参照は可能になる。
【００１０】
しかし、コンテンツデータの保管先が変わることにより、ハイパーリンク情報によりコンテンツデータを特定することができなくなるため、ハイパーリンクレポートを正しく提示することができなかった。
【００１１】
本発明はこのような事情を考慮してなされたものであり、その目的とするところは、コンテンツデータの保存先が変更された場合であっても、ハイパーリンクレポートを正しく提示することを可能とすることにある。
【課題を解決するための手段】
【００１２】
以上の目的を達成するために第１の本発明は、コンテンツが記憶された記憶デバイスを特定するアドレス情報と当該コンテンツデータの個々に割り付けられた識別情報とを含むリンク情報を含む読影レポートデータに基づく読影を支援する読影支援装置において、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を取得する手段と、取得された前記コンテンツデータを第２の記憶デバイスに書き込む書込手段と、取得された前記読影レポートデータに含まれる前記リンク情報のうちの前記アドレス情報を前記第１の記憶デバイスを特定する情報から前記第２の記憶デバイスを特定する情報に書き換える書換手段とを備えた。
【００１３】
また前記の目的を達成するために第２の本発明は、コンテンツデータが記憶された記憶デバイスを特定するアドレス情報と当該コンテンツデータの個々に割り付けられた識別情報とを含むリンク情報を含む読影レポートデータに基づく読影を支援する第１および第２の読影支援装置を含んだ読影支援システムにおいて、前記第１の読影支援装置には、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を出力する出力手段を備え、前記第２の読影支援装置には、前記データ群を取得する手段と、取得された前記コンテンツデータを第２の記憶デバイスに書き込む書込手段と、取得された前記読影レポートデータに含まれる前記リンク情報のうちの前記アドレス情報を前記第１の記憶デバイスを特定する情報から前記第２の記憶デバイスを特定する情報に書き換える書換手段とを備えた。
【００１４】
また前記の目的を達成するために第３の本発明は、コンテンツデータが記憶された記憶デバイスを特定するアドレス情報と当該コンテンツデータの個々に割り付けられた識別情報とを含むリンク情報を含む読影レポートデータを第１の読影支援装置から第２の読影支援装置へと授受する読影レポートデータ授受方法において、前記第１の読影支援装置は、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を出力し、前記第２の読影支援装置は、前記データ群を取得し、取得された前記コンテンツデータを第２の記憶デバイスに書き込み、取得された前記レポートデータに含まれる前記リンク情報のうちの前記アドレス情報を前記第１の記憶デバイスを特定する情報から前記第２の記憶デバイスを特定する情報に書き換えることとした。
【００１５】
また前記の目的を達成するために第４の本発明は、コンピュータを、コンテンツデータが記憶された記憶デバイスを特定するアドレス情報と当該コンテンツデータの個々に割り付けられた識別情報とを含むリンク情報を含む読影レポートデータに基づく読影を支援する読影支援装置として機能させる読影支援プログラムにおいて、前記コンピュータを、前記読影レポートデータと、当該読影レポートデータに含まれる前記リンク情報のうちの前記アドレス情報により特定される第１の記憶デバイスに記憶されかつ当該読影レポートデータに含まれる前記リンク情報のうちの前記識別情報が割り付けられたコンテンツデータとを含むデータ群を取得する手段と、取得された前記コンテンツデータを第２の記憶デバイスに書き込む書込手段と、取得された前記レポートデータに含まれる前記リンク情報のうちの前記アドレス情報を前記第１の記憶デバイスを特定する情報から前記第２の記憶デバイスを特定する情報に書き換える書換手段として機能させることとした。
【発明の効果】
【００１６】
本発明によれば、コンテンツデータの保存先が変更された場合であっても、ハイパーリンクレポートを正しく提示することを可能とすることができる。
【発明を実施するための最良の形態】
【００１７】
以下、図面を参照して本発明の一実施形態について説明する。
【００１８】
図１は本実施形態に係る読影支援システムの構成を示すブロック図である。
【００１９】
この読影支援システムは、ハイパーリンクレポートを表す読影レポートデータと、この読影レポートデータでリンクされた画像データとを含むデータ群を、２つの読影支援装置１の間で可搬メディア２やネットワーク３を介して授受することを可能とする。典型的には、２つの読影支援装置１はそれぞれ異なる病院に設置されるが、設置形態は任意であって良い。そして各病院に構築されたＬＡＮ（local area network）４にそれぞれ接続される。各病院には、モダリティ５、画像サーバ６およびレポートサーバ７がそれぞれ設置される。なお、モダリティ５、画像サーバ６およびレポートサーバ７は、各病院に複数台が設置される場合がある。これらモダリティ５、画像サーバ６およびレポートサーバ７も、各病院のＬＡＮ４に接続される。各病院のＬＡＮ４は、互いに隔離されている。
【００２０】
モダリティ５は、例えばＸ線診断装置やＸ線ＣＴ装置などであり、医用画像を表す画像データを生成する。画像サーバ６は、ハードディスクなどの記憶媒体を備え、画像データを保存する。レポートサーバ７は、ハードディスクなどの記憶媒体を備え、読影レポートデータを保存する。
【００２１】
読影支援装置１は、プロセッサ１１、メインメモリ１２、ハードディスク装置１３、ＬＡＮインタフェース部１４、リーダ・ライタ１５、ネットワークインタフェース部１６、入力デバイス１７およびディスプレイ１８を有している。そしてこれらの各部は、バス１９を介して互いに接続されている。
【００２２】
プロセッサ１１は、ハードディスク装置１３に格納されているプログラムに従ってソフトウェア処理を実行することで各種の制御処理を行う。
【００２３】
メインメモリ１２は、プロセッサ１１が実際に使用するべくハードディスク装置１３から取り出されたソフトウェアを一時的に記憶しておく。またメインメモリ１２は、プロセッサ１１のワークエリアとして利用される。
【００２４】
ハードディスク装置１３は、プロセッサ１１が使用するオペレーティングシステム用のプログラムを格納する。ハードディスク装置１３は他に、各種のプログラムおよびその他のデータを格納する。ハードディスク装置１３に格納されるデータには、読影支援プログラム１３ａを含む。
【００２５】
ＬＡＮインタフェース部１４は、ＬＡＮ４に接続される。ＬＡＮインタフェース部１４は、ＬＡＮ４を介するデータの送受信を行う。
【００２６】
リーダ・ライタ１５は、可搬メディア２に記憶されたデータを読み出す。リーダ・ライタ１５は、可搬メディア２にデータを書き込む。
【００２７】
ネットワークインタフェース部１６には、ネットワーク３が接続される。ネットワークインタフェース部１６は、ネットワーク３を介しての通信処理を行う。
【００２８】
入力デバイス１７は、操作者による各種の指示入力を受け付ける。入力デバイス１７としては、例えばキーボード、マウス、タッチパネルなどの周知のデバイスを利用できる。
【００２９】
ディスプレイ１８は、操作者に対する各種の情報提示のための画像表示を行う。
【００３０】
ところでこの読影支援装置１としては、例えば汎用のコンピュータを用いることができる。この場合、読影支援プログラム１３ａはアプリケーションプログラムとして提供され、当初はインストールされていない。そこで、当該読影支援装置１の導入作業の一環として、ＣＤ−ＲＯＭなどのリムーバブルな記憶媒体に格納されている読影支援プログラム１３ａをハードディスク装置１３へとインストールする。あるいは、ネットワーク３を介してダウンロードした読影支援プログラム１３ａをインストールしても良い。
【００３１】
この読影支援プログラム１３ａに基づく処理を行うことでプロセッサ１１は、ハイパーリンクレポートを作成する読影レポートクライアントとして動作する。読影レポートクライアントとしての機能は、例えば特願２００４−１１３５３３に開示された機能を適用することができる。この他に読影支援プログラム１３ａに基づく処理を行うことでプロセッサ１１は、図２に示すような、入力機能１１ａ、データ検索機能１１ｂ、出力制御機能１１ｃ、取得制御機能１１ｄ、書き込み機能１１ｅ、書き換え機能１１ｆおよび表示制御機能１１ｇを実現する。なお、これらの各機能は、その一部または全てをロジック回路などのハードウェアにより実現することも可能である。また上記の各部のそれぞれは、ハードウェアとソフトウェア制御とを組み合わせて実現することも可能である。
【００３２】
入力機能１１ａ、データ検索機能１１ｂおよび出力制御機能１１ｃは、データ群の授与側となる読影支援装置１において有効とされる。書き込み機能１１ｅ、書き換え機能１１ｆおよび表示制御機能１１ｇは、データ群の受領側となる読影支援装置１において有効とされる。なお、以降においては説明の便宜上、読影支援装置１について授与側と受領側とを区別する必要がある場合には、図２に示すように授与側を読影支援装置1-1、受領側を読影支援装置1-2とそれぞれ記すこととする。また読影支援装置1-1に含まれる各要素や、読影支援装置1-1と同じ病院に設置される各装置についても図１に示した符号に「-1」を付加した符号を用いて、読影支援装置1-2に含まれる各要素や、読影支援装置1-2と同じ病院に設置される各装置についても、図２に示すように、図１に示した符号に「-2」を付加した符号を用いて記すこととする。
【００３３】
入力機能１１ａは、入力デバイス17-1でのオペレータの操作に応じて、読影支援装置1-2へと授与するために出力すべき読影レポート（以下、出力レポートと称する）の指定や、出力する画像データの制限量の指定を入力する。データ検索機能１１ｂは、入力機能１１ａにより入力された指定に従ってデータ群に含めるデータを画像サーバ6-1およびレポートサーバ7-1から検索し、該当するデータを読み出す。出力制御機能１１ｃは、出力モードに従って、リーダ・ライタ15-1またはネットワークインタフェース部16-1にデータ群を与える。
【００３４】
取得制御機能１１ｄは、可搬メディア２またはネットワーク３を介して授与されるデータ群を、リーダ・ライタ15-2またはネットワークインタフェース部16-2を介して取得する。書き込み機能１１ｅは、取得制御機能１１ｄにより取得されたデータ群に含まれるデータを画像サーバ6-2やレポートサーバ7-2に書き込む。書き換え機能１１ｆは、レポートサーバ7-2に書き込まれた読影レポートサーバに含まれるハイパーリンク情報を書き換える。表示制御機能１１ｇは、画像サーバ6-2およびレポートサーバ7-2に保存されたデータに基づいてハイパーリンクレポートを表示するようにディスプレイ18-2を制御する。
【００３５】
次に以上のように構成された読影支援システムの動作について説明する。
【００３６】
この読影支援システムでは、第１の病院にてハイパーリンクレポートが作成された場合、これを表す読影レポートデータは第１の病院に設置されたレポートサーバ７に保存される。ハイパーリンクレポートでリンクされる画像データは、第１の病院に設置された画像サーバ６に保存されている画像データである。
【００３７】
このように第１の病院にて管理されているハイパーリンクレポートを第２の病院に授与する場合、第１の病院に設置された読影支援装置１が授与側の読影支援装置1-1となり、第２の病院に設置された読影支援装置１が受領側の読影支援装置1-2となり、ハイパーリンクレポートの提示に必要なデータ群の授受が以下のようにして行われる。
【００３８】
図３は読影支援装置1-1のプロセッサ11-1の処理手順を示すフローチャートである。
【００３９】
ステップＳａ１においてプロセッサ11-1は入力機能１１ａにより、出力レポートの指定を入力する。ステップＳａ２においてプロセッサ11-1は入力機能１１ａにより、制限量の指定を入力する。制限量は、例えばリンクの階層の数として指定される。
【００４０】
ステップＳａ３においてプロセッサ11-1はデータ検索機能１１ｂにより、出力レポートを表す読影レポートデータをレポートサーバ7-1から検索し、該当するデータを読み出す。
【００４１】
ステップＳａ４においてプロセッサ11-1はデータ検索機能１１ｂにより、上記の読み出した読影レポートデータがハイパーリンク情報を含むか否かを確認する。そしてハイパーリンク情報を含むならば、プロセッサ11-1はステップＳａ４からステップＳａ５へ進む。なお、ハイパーリンク情報を含まないならば、プロセッサ11-1はステップＳａ５をパスしてステップＳａ６へ進む。
【００４２】
ステップＳａ５においてプロセッサ11-1はデータ検索機能１１ｂにより、読影レポートデータ中のハイパーリンク情報によりリンクされた画像データを、制限量を上限として画像サーバ6-1から読み出す。
【００４３】
ステップＳａ６においてプロセッサ11-1は出力制御機能１１ｃにより、出力モードを確認する。出力モードが可搬メディアモードに予め設定されているか、可搬メディアモードとすることがこのときにオペレータにより指定されたならば、プロセッサ11-1はステップＳａ６からステップＳａ７へ進む。
【００４４】
ステップＳａ７においてプロセッサ11-1は出力制御機能１１ｃにより、ステップＳａ３で得た読影レポートデータとステップＳａ５で得た画像データとを含んだデータ群を、リーダ・ライタ15-1を介して可搬メディア２に記録する。そしてこの記録が完了したならば、プロセッサ11-1はこの図３に示す処理を終了する。
【００４５】
一方、出力モードが通信モードに予め設定されているか、通信モードとすることがこのときにオペレータにより指定されたならば、プロセッサ11-1はステップＳａ６からステップＳａ８へ進む。
【００４６】
ステップＳａ８においてプロセッサ11-1は出力制御機能１１ｃにより、ステップＳａ３で得た読影レポートデータとステップＳａ５で得た画像データとを含んだデータ群を、読影支援装置1-2に向けてネットワーク３へ送信する。
【００４７】
図４は読影支援装置1-2のプロセッサ11-2の処理手順を示すフローチャートである。
【００４８】
ステップＳｂ１においてプロセッサ11-2は取得制御機能１１ｄにより、取得モードを確認する。取得モードが可搬メディアモードに予め設定されているか、可搬メディアモードとすることがこのときにオペレータにより指定されたならば、プロセッサ11-2はステップＳｂ１からステップＳｂ２へ進む。
【００４９】
ステップＳｂ２においてプロセッサ11-2は取得制御機能１１ｄにより、可搬メディア２に記録されたデータ群をリーダ・ライタ15-2を利用して読み出す。この後にプロセッサ11-2は、ステップＳｂ４へ進む。
【００５０】
一方、出力モードが通信モードに予め設定されているか、通信モードとすることがこのときにオペレータにより指定されたならば、プロセッサ11-2はステップＳｂ１からステップＳｂ３へ進む。
【００５１】
ステップＳｂ３においてプロセッサ11-2は取得制御機能１１ｄにより、ネットワーク３を伝送されてきたデータ群をネットワークインタフェース部16-2を利用して受信する。
【００５２】
ステップＳｂ４においてプロセッサ11-2は書き込み機能１１ｅにより、ステップＳｂ２またはステップＳｂ３にて取得したデータ群の中の読影レポートデータをレポートサーバ7-2に書き込む。
【００５３】
ステップＳｂ５においてプロセッサ11-2は書き込み機能１１ｅにより、ステップＳｂ２またはステップＳｂ３にて取得したデータ群の中に画像データが有るか否かを確認する。画像データが有るならばプロセッサ11-2は、ステップＳｂ５からステップＳｂ６へ進む。なお、画像データが無いならばプロセッサ11-2は、ステップＳｂ６をパスしてステップＳｂ７へ進む。
【００５４】
ステップＳｂ６においてプロセッサ11-2は書き込み機能１１ｅにより、データ群に含まれている画像データを画像サーバ6-2へ書き込む。画像サーバ6-2が複数有る場合には、プロセッサ11-2はこれらの複数の画像サーバ6-2のいずれかに画像データを書き込む。どの画像サーバ6-2に画像データを書き込むかは、例えば事前に定めたルールに従って決定すれば良い。１つのデータ群に複数の画像データが含まれる場合、これらの画像データがそれぞれ異なる画像サーバ6-2に書き込まれる場合もある。プロセッサ11-2は書き込み機能１１ｅにより、画像データの書き込みの結果を反映させて図５に示すような対応情報を作成する。この対応情報は、画像データのコンテンツ識別子と、この画像データを書き込んだ画像サーバのアドレス情報とを関連付けて示す。なおコンテンツ識別子は、画像データの個々に割り付けられている。コンテンツ識別子は、例えばＤＩＣＯＭ（digital imaging and communications in medicine）標準規格のInstanceUIDを組み合わせたような情報とされ、ユニークである。
【００５５】
ステップＳｂ７においてプロセッサ11-2は書き換え機能１１ｆにより、レポートサーバ7-2からステップＳｂ４で保存した読影レポートデータを読み出す。
【００５６】
ステップＳｂ８においてプロセッサ11-2は書き換え機能１１ｆにより、上記の読み出した読影レポートデータに含まれるハイパーリンク情報からコンテンツ識別子を抽出する。
【００５７】
ステップＳｂ９においてプロセッサ11-2は書き換え機能１１ｆにより、ハイパーリンク情報が有ったかどうかを確認する。ハイパーリンク情報が有ったのであるならば、プロセッサ11-2はステップＳｂ９からステップＳｂ１０へ進む。なお、ハイパーリンク情報が無かったのであるならば、プロセッサ11-2は以降の処理をパスしてこの図４に示す処理を終了する。
【００５８】
ステップＳｂ１０においてプロセッサ11-2は書き換え機能１１ｆにより、ステップＳｂ８で抽出したコンテンツ識別子のそれぞれが対応情報に含まれるコンテンツ識別子のいずれかと一致するかどうかを確認する。いずれかのコンテンツ識別子が一致するならば、プロセッサ11-2はステップＳｂ１０からステップＳｂ１１へ進む。なお、いずれのコンテンツ識別子も一致しなかったならば、プロセッサ11-2は以降の処理をパスしてこの図４に示す処理を終了する。
【００５９】
ステップＳｂ１１においてプロセッサ11-2は書き換え機能１１ｆにより、一致したコンテンツ識別子を含んだハイパーリンク情報中のアドレス情報を、当該コンテンツ識別子に対応情報で関連付けられているアドレス情報に書き換える。
【００６０】
具体的には、ハイパーリンク情報は例えば図６（ａ）に示す形態である。そしてステップＳｂ７で読み出した読影レポートデータに含まれたハイパーリンク情報が図６（ｂ）に示す内容であり、ステップＳｂ６にて作成された対応情報が図５に示す内容であるとするならば、コンテンツ識別子が一致する。そこでプロセッサ11-2は、元々「100.xxx.xxx.28」であったアドレス情報を、「Study1.Series11.Image111」なるコンテンツ識別子に対応情報で関連付けられているアドレス情報「133.xxx.xxx.11」へと図６（ｃ）に示すように書き換える。
【００６１】
ステップＳｂ１２においてプロセッサ11-2は書き換え機能１１ｆにより、上記のようにアドレス情報を書き換えたのちの読影レポートデータで、ステップＳｂ７で読み出した読影レポートデータを上書きする。そしてここでの書き込みを完了したならば、プロセッサ11-2はこの図４に示す処理を終了する。
【００６２】
ハイパーリンクレポートの表示を行うべきときには、プロセッサ11-2は表示制御機能１１ｇにより、上述のようにしてアドレス情報が書き換えられた後の読影レポートデータに基づいてディスプレイ18-2の制御を行う。
【００６３】
かくして本実施形態によれば、受領側においては、レポートサーバ7-2に保存される読影レポートデータは、そこに含まれるハイパーリンク情報中のアドレス情報が画像サーバ7-1を特定するものとされている。従って、ハイパーリンクレポートにリンクされた画像データを画像サーバ7-1から正しく取得することができ、ハイパーリンクレポートの提示を読影支援装置1-2にて適正に提示することが可能である。
【００６４】
また本実施形態によれば、授与側においては、オペレータによって指定された制限量を上限として画像データの出力を行うので、受領側の画像サーバ６の容量の圧迫を抑えることが可能である。
【００６５】
この実施形態は、次のような種々の変形実施が可能である。  
画像データ以外のコンテンツデータがハイパーリンクレポートにリンクされる場合にも、画像データと同様に処理することにより対応が可能である。
【００６６】
画像サーバ6-2が１つのみである場合には、対応情報の作成を省略しても良い。この場合、画像サーバ6-2に書き込んだ画像データのコンテンツ識別子を含んだハイパーリンク情報におけるアドレス情報を画像サーバ6-2に一律に書き換えれば良い。
【００６７】
読影支援装置１は受領側となるとき、取得した読影レポートデータをメインメモリ１２またはハードディスク装置１３などに保存しておき、このように保存した読影レポートデータにおけるアドレス情報を書き換えた上でレポートサーバ７へと書き込むようにし、図４におけるステップＳｂ４およびステップＳｂ７の処理を省略しても良い。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６９】
【図１】本発明の一実施形態に係る読影支援システムの構成を示すブロック図。
【図２】図１中の読影支援プログラム１３ａに基づく処理を行うことでプロセッサ１１が実現する機能の関連を表す図。
【図３】図２中の読影支援装置1-1のプロセッサ11-1の処理手順を示すフローチャート。
【図４】図２中の読影支援装置1-2のプロセッサ11-2の処理手順を示すフローチャート。
【図５】対応情報の一例を示す図。
【図６】ハイパーリンク情報の構成およびアドレス情報の書き換えの様子を示す図。
【符号の説明】
【００７０】
１（1-1，1-2）…読影支援装置、２…可搬メディア、３…ネットワーク、４…ＬＡＮ、５…モダリティ、６（6-1，6-2）…画像サーバ、７（7-1，7-2）…レポートサーバ、１１（11-1，11-2）…プロセッサ、１１ａ…入力機能、１１ｂ…データ検索機能、１１ｃ…出力制御機能、１１ｄ…取得制御機能、１１ｅ…書き込み機能、１１ｆ…書き換え機能、１１ｇ…表示制御機能、１２…メインメモリ、１３…ハードディスク装置、１３ａ…読影支援プログラム、１４…インタフェース部、１５（15-1，15-2）…リーダ・ライタ、１６（16-1，16-2）…ネットワークインタフェース部、１７（17-1）…入力デバイス、１８（18-2）…ディスプレイ、１９…バス。
【図１】
0004777028.tif 000002
【図２】
0004777028.tif 000003
【図３】
0004777028.tif 000004
【図４】
0004777028.tif 000005
【図５】
0004777028.tif 000006
【図６】
0004777028.tif 000007